(57)【要約】【課題】停止処理の終了前に、コントローラへの給電が誤って遮断されないようにする。【解決手段】作業車両は、キースイッチと、キースイッチがオフ位置に切り替えられたときに停止処理を行い、停止処理が完了すると完了信号を出力するコントローラと、コントローラへの給電を遮断する遮断スイッチと、遮断スイッチによるコントローラへの給電の遮断操作が可能であることを点灯表示する表示器と、コントローラから完了信号が出力されると表示器を点灯駆動する表示器点灯駆動装置とを備えることを特徴とする。【選択図】図２
2014141223.tif 000002
【特許請求の範囲】
【請求項１】
キースイッチと、
前記キースイッチがオフ位置に切り替えられたときに停止処理を行い、前記停止処理が完了すると完了信号を出力するコントローラと、
前記コントローラへの給電を遮断する遮断スイッチと、
前記遮断スイッチによる前記コントローラへの給電の遮断操作が可能であることを点灯表示する表示器と、
前記コントローラから前記完了信号が出力されると前記表示器を点灯駆動する表示器点灯駆動装置とを備えることを特徴とする作業車両。
【請求項２】
請求項１に記載の作業車両において、
前記コントローラは複数搭載され、
前記複数のコントローラのそれぞれに対応する複数個の常閉スイッチが互いに接続され、
前記複数個の常閉スイッチのそれぞれは、対応する前記コントローラから前記完了信号が出力されるまでは開路し、対応する前記コントローラから前記完了信号が出力されると閉路し、
前記表示器は、直列接続された前記常閉スイッチを介して給電されて点灯することを特徴とする作業車両。
【請求項３】
請求項１または請求項２に記載の作業車両において、
前記表示器は、点灯後、前記遮断スイッチによって前記コントローラへの給電が遮断されると消灯することを特徴とする作業車両。
【請求項４】
請求項１〜３のいずれか一項に記載の作業車両において、
前記表示器点灯駆動装置による前記表示器の点灯駆動を許可／禁止する許可スイッチをさらに備えることを特徴とする作業車両。
【発明の詳細な説明】
【技術分野】
【０００１】
本発明は、バッテリとコントローラの回路とを接続、遮断することができる遮断スイッチを設けた建設機械等の作業車両に関する。
【背景技術】
【０００２】
建設機械に関する規格では、バッテリをコントローラの回路と切り離すことができるようにすることが規定されている。そのため、建設機械にバッテリからコントローラへの給電を遮断する遮断スイッチを装着することがある。
【０００３】
コントローラでは、キースイッチのオフ時にデータの更新処理などの停止処理が行われる。コントローラで行われる停止処理には、たとえば数十秒から数分の時間が掛かる場合がある。そのため、コントローラでの停止処理中にコントローラへの給電が絶たれるとデータ更新処理が不完全となり、次回の給電時に読み出されるデータの信頼性が低下するおそれがある。そのため、コントローラでの停止処理が完了してコントローラへの給電の遮断が可能となったことを報知する建設機械用バッテリ遮断装置が知られている（特許文献１参照）。
【先行技術文献】
【特許文献】
【０００４】
【特許文献１】特開２０１１−６３２３４号公報
【発明の概要】
【発明が解決しようとする課題】
【０００５】
上述した特許文献に記載の装置では、複数のコントローラのすべてについて給電の遮断が可能となると、ＬＥＤが消灯することで給電の遮断が可能となったことを報知している。そのため、たとえば、断線などによるＬＥＤの不点灯を給電の遮断が可能になったことによるＬＥＤの消灯であるとオペレータが判断して、いずれかのコントローラが動作中にも関わらずバッテリが遮断されてしまうおそれがある。
【課題を解決するための手段】
【０００６】
（１）  請求項１の発明による作業車両は、キースイッチと、キースイッチがオフ位置に切り替えられたときに停止処理を行い、停止処理が完了すると完了信号を出力するコントローラと、コントローラへの給電を遮断する遮断スイッチと、遮断スイッチによるコントローラへの給電の遮断操作が可能であることを点灯表示する表示器と、コントローラから完了信号が出力されると表示器を点灯駆動する表示器点灯駆動装置とを備えることを特徴とする。
（２）  請求項２の発明は、請求項１に記載の作業車両において、コントローラは複数搭載され、複数のコントローラのそれぞれに対応する複数個の常閉スイッチが互いに接続され、複数個の常閉スイッチのそれぞれは、対応するコントローラから完了信号が出力されるまでは開路し、対応するコントローラから完了信号が出力されると閉路し、表示器は、直列接続された常閉スイッチを介して給電されて点灯することを特徴とする。
（３）  請求項３の発明は、請求項１または請求項２に記載の作業車両において、表示器は、点灯後、遮断スイッチによってコントローラへの給電が遮断されると消灯することを特徴とする。
（４）  請求項４の発明は、請求項１〜３のいずれか一項に記載の作業車両において、表示器点灯駆動装置による表示器の点灯駆動を許可／禁止する許可スイッチをさらに備えることを特徴とする。
【発明の効果】
【０００７】
本発明によれば、停止処理が完了してコントローラから完了信号が出力されると表示器を点灯駆動するように構成したので、停止処理の終了前に、コントローラへの給電が誤って遮断されてしまうおそれがない。したがって、コントローラを保護できる。
【図面の簡単な説明】
【０００８】
【図１】作業車両の一例としての油圧ショベルの外観を示す図である。
【図２】油圧ショベルの電気配線のうち、主に本実施の形態に係る部分を示した電気配線図である。
【図３】本実施の形態に係る各部の動作を示すタイムチャート図である。
【図４】遮断許可信号出力許可スイッチが設けられた電気配線図である。
【発明を実施するための形態】
【０００９】
図１〜４を参照して、本発明による作業車両の一実施の形態を説明する。図１は、作業車両の一例としての油圧ショベルの外観を示す図である。この油圧ショベル１００は、無限軌道式の下部走行体１０１上に、旋回輪１１０を介して上部旋回体１０２が旋回自由に装架されている。上部旋回体１０２は、構造体をなす旋回フレーム１０３、旋回フレーム１０３の前部左側には運転室１０４が、旋回フレーム１０３の前部中央にはフロント作業腕１０５が、旋回フレーム１０３の後部側には、フロント作業腕１０５とのバランスをとるためのカウンタウエイト１０６が設置されている。
【００１０】
旋回フレーム１０３上の運転室１０４とカウンタウエイト１０６との間には、機械室を画成した建屋カバー１０７が設置されている。機械室にはエンジン１や、エンジン１によって駆動される油圧ポンプ（メインポンプ）７などが設置されている。
【００１１】
フロント作業腕１０５は、ブームシリンダ１１４により上下方向に揺動自在に上部旋回体１０２に取り付けられたブーム１１３と、ブーム１１３に連結されてアームシリンダ１１６により上下方向に揺動自在に取り付けられたアーム１１５と、アーム１１５の先端部分に連結されてバケットシリンダ１１８により上下方向に回動自在に取り付けられた作業具（バケット）１１７とを有する。
【００１２】
図２は、油圧ショベル１００の電気配線のうち、主に本実施の形態に係る部分を示した電気配線図である。油圧ショベル１００は、バッテリ１１と、キースイッチ１３と、機器Ａと、機器Ｂと、遮断可能信号出力器４０，５０と、表示器（遮断可能表示器）６１と、ディスコネクトスイッチ（遮断スイッチ）６２とを備えている。
【００１３】
機器Ａおよび機器Ｂは、コントローラであり、たとえば、車体制御用のコントローラや、エンジン１のコントローラ、油圧ポンプ７のコントローラなどである。本実施の形態では、キースイッチ１３のオフ時にデータの更新処理などの停止処理が行われるコントローラであれば、特にその種類を問わないため、各コントローラを機器Ａおよび機器Ｂとして表す。
【００１４】
機器Ａは、不図示のＣＰＵおよびメモリ等の周辺機器と、コントローラとしての制御対象機器との信号の送受信を行う不図示のＩ／Ｏと、キー信号端子２１と、電源＋端子２２と、電源ＧＮＤ端子２３と、電源遮断可能信号端子２４とを備えている。キー信号端子２１は、キースイッチ１３がオンされたときにバッテリ１１のプラス端子（＋端子）に接続される端子である。電源＋端子２２は、常時バッテリ１１の＋端子に接続される端子である。電源ＧＮＤ端子２３は、後述する遮断スイッチ６２を介してバッテリ１１のマイナス端子（−端子）に接続される端子である。
【００１５】
電源遮断可能信号端子２４は、次に述べる電源遮断可能信号および電源遮断不可信号を出力する端子であり、遮断可能信号出力器４０の後述する励磁コイル（ソレノイド）４１に接続されている。電源遮断可能信号は、機器Ａへの給電を遮断してもよい状態、すなわち、停止処理が終了していて機器Ａへの給電を遮断しても差し支えない状態になると電源遮断可能信号端子２４から出力される信号（完了信号）である。電源遮断不可信号は、機器Ａへの給電を遮断すると何らかの不都合が生じるおそれがある状態、すなわち、機器Ａへの給電を開始後、停止処理が終了するまでの間に電源遮断可能信号端子２４から出力される信号である。機器Ａは、電源遮断可能信号によって遮断可能信号出力器４０のソレノイド４１を消磁し、電源遮断不可信号によってソレノイド４１を励磁する。
【００１６】
機器Ｂは、機器Ａと同様の構成である。すなわち、機器Ｂは、不図示のＣＰＵおよびメモリ等の周辺機器と、コントローラとしての制御対象機器との信号の送受信を行う不図示のＩ／Ｏと、キー信号端子３１と、電源＋端子３２と、電源ＧＮＤ端子３３と、電源遮断可能信号端子３４とを備えている。キー信号端子３１は、キースイッチ１３がオンされたときにバッテリ１１のプラス端子に接続される端子である。電源＋端子３２は、常時バッテリ１１の＋端子に接続される端子である。電源ＧＮＤ端子３３は、後述する遮断スイッチ６２を介してバッテリ１１のマイナス端子に接続される端子である。
【００１７】
電源遮断可能信号端子３４は、電源遮断可能信号および電源遮断不可信号を出力する端子であり、遮断可能信号出力器５０の後述する励磁コイル（ソレノイド）５１に接続されている。電源遮断可能信号は、機器Ｂへの給電を遮断してもよい状態になると電源遮断可能信号端子３４から出力される信号（完了信号）である。電源遮断不可信号は、機器Ｂへの給電を開始後、停止処理が終了するまでの間に電源遮断可能信号端子３４から出力される信号である。機器Ｂは、電源遮断可能信号によって遮断可能信号出力器５０のソレノイド５１を消磁し、電源遮断不可信号によってソレノイド５１を励磁する。
【００１８】
遮断可能信号出力器４０は、たとえばノーマルクローズ型のリレーであり、励磁コイル（ソレノイド）４１と、接点４２，４３とを備えている。ソレノイド４１は、一方の端子が機器Ａの電源遮断可能信号端子２４に接続され、他方の端子が遮断スイッチ６２を介してバッテリ１１のマイナス端子に接続されている。ソレノイド４１は、機器Ａの電源遮断可能信号端子２４から出力される電源遮断可能信号によって消磁され、電源遮断不可信号によって励磁される。
【００１９】
接点４２は、バッテリ１１のプラス端子に接続されている。接点４３は、後述する遮断可能信号出力器５０の接点５２に接続されている。なお、接点４３は、遮断可能信号出力器５０の接点５２，５３、遮断可能表示器６１および遮断スイッチ６２を介してバッテリ１１のマイナス端子に接続される。遮断可能信号出力器４０は、電源遮断可能信号によってソレノイド４１が消磁されると、接点４２と接点４３との間が閉路し、電源遮断不可信号によってソレノイド４１が励磁されると、接点４２と接点４３との間が開路する。すなわち、遮断可能信号出力器４０は、電源遮断可能信号および電源遮断不可信号によって駆動される常閉スイッチである。
【００２０】
遮断可能信号出力器５０は、遮断可能信号出力器４０と同様の構成である。すなわち、遮断可能信号出力器５０は、たとえばノーマルクローズ型のリレーであり、励磁コイル（ソレノイド）５１と、接点５２，５３とを備えている。ソレノイド５１は、一方の端子が機器Ｂの電源遮断可能信号端子３４に接続され、他方の端子が遮断スイッチ６２を介してバッテリ１１のマイナス端子に接続されている。ソレノイド５１は、機器Ｂの電源遮断可能信号端子３４から出力される電源遮断可能信号によって消磁され、電源遮断不可信号によって励磁される。
【００２１】
接点５２は、上述したように、遮断可能信号出力器４０の接点４３に接続されている。なお、接点５２は、遮断可能信号出力器４０の接点４３，４２を介してバッテリ１１のプラス端子に接続されている。接点５３は、後述する遮断可能表示器６１に接続されている。なお、接点５３は、遮断可能表示器６１および遮断スイッチ６２を介してバッテリ１１のマイナス端子に接続される。遮断可能信号出力器５０は、電源遮断可能信号によってソレノイド５１が消磁されると、接点５２と接点５３との間が閉路し、電源遮断不可信号によってソレノイド５１が励磁されると、接点５２と接点５３との間が開路する。すなわち、遮断可能信号出力器５０は、電源遮断可能信号および電源遮断不可信号によって駆動される常閉スイッチである。
【００２２】
遮断可能表示器６１は、たとえばＬＥＤや電球等の発光装置を備えた表示器であり、点灯することによって遮断スイッチ６２によるバッテリ１１からの給電の遮断が可能である（許可された）ことを報知する。換言すると、遮断可能表示器６１は、消灯することによって遮断スイッチ６２によるバッテリ１１からの給電の遮断が禁止されていること（遮断が不許可であること）を報知する。遮断可能表示器６１は、一方の端子が遮断可能信号出力器５０の接点５３に接続され、他方の端子が遮断スイッチ６２を介してバッテリ１１のマイナス端子に接続されている。
【００２３】
遮断可能表示器６１は、遮断可能信号出力器４０の接点４２，４３間が閉路され、かつ、遮断可能信号出力器５０の接点５２，５３間が閉路され、かつ、後述する遮断スイッチ６２がオンされているときにバッテリ１１からの給電によって点灯する。また、遮断可能表示器６１は、遮断可能信号出力器４０の接点４２，４３間が開路されるか、遮断可能信号出力器５０の接点５２，５３間が開路されるか、または、遮断スイッチ６２がオフされると、バッテリ１１からの給電が遮断されて消灯する。
【００２４】
ディスコネクトスイッチ（遮断スイッチ）６２は、機器Ａの電源ＧＮＤ端子２３および機器Ｂの電源ＧＮＤ端子３３とバッテリ１１のマイナス端子との間に介挿されたスイッチである。また、遮断スイッチ６２は、遮断可能信号出力器４０のソレノイド４１の他方の端子、遮断可能信号出力器５０のソレノイド５１の他方の端子、および遮断可能表示器６１の他方の端子と、バッテリ１１のマイナス端子との間に介挿されている。
【００２５】
遮断スイッチ６２は、オンされると、機器Ａの電源ＧＮＤ端子２３および機器Ｂの電源ＧＮＤ端子３３とバッテリ１１のマイナス端子とを接続する。これにより、機器Ａおよび機器Ｂへバッテリ１１から給電される。遮断スイッチ６２は、オフされると、機器Ａの電源ＧＮＤ端子２３および機器Ｂの電源ＧＮＤ端子３３とバッテリ１１のマイナス端子との接続を解除する。これにより、機器Ａおよび機器Ｂへのバッテリ１１からの給電が遮断される。
【００２６】
同様に、遮断スイッチ６２は、オンされると、遮断可能信号出力器４０のソレノイド４１の他方の端子、遮断可能信号出力器５０のソレノイド５１の他方の端子、および遮断可能表示器６１の他方の端子と、バッテリ１１のマイナス端子とを接続する。遮断スイッチ６２は、オフされると、遮断可能信号出力器４０のソレノイド４１の他方の端子、遮断可能信号出力器５０のソレノイド５１の他方の端子、および遮断可能表示器６１の他方の端子と、バッテリ１１のマイナス端子との接続を解除する。
【００２７】
遮断可能表示器６１と、遮断スイッチ６２とは、オペレータが遮断可能表示器６１の点灯状態を確認しながら遮断スイッチ６２の操作が可能となるように、互いに隣接した位置に設けられている。なお、遮断可能表示器６１および遮断スイッチ６２は、たとえば、バッテリ１１が収容される不図示のバッテリボックスに配設される。バッテリボックスは、たとえば機械室などに設けられる。
【００２８】
本実施の形態における上述した各部の動作について、図３を参照して説明する。図３は、遮断スイッチ６２がオンされた状態でキースイッチ１３がオンされてから、キースイッチ１３がオフされて遮断スイッチ６２によるバッテリ１１からの給電の遮断が可能となるまでの間の各部の動作を示すタイムチャート図である。
【００２９】
油圧ショベル１００で作業を開始する際（エンジン１を始動させる際）、あらかじめ遮断スイッチ６２をオンにする必要がある。上述したように、機器Ａの電源＋端子２２および機器Ｂの電源＋端子３２があらかじめバッテリ１１のプラス端子に接続されている。そのため、遮断スイッチ６２がオンされると、機器Ａの電源ＧＮＤ端子２３および機器Ｂの電源ＧＮＤ端子３３とバッテリ１１のマイナス端子とが接続されて、バッテリ１１から機器Ａおよび機器Ｂへの給電が開始される。また、遮断スイッチ６２がオンされると、上述したように、遮断可能信号出力器４０のソレノイド４１の他方の端子、遮断可能信号出力器５０のソレノイド５１の他方の端子、および遮断可能表示器６１の他方の端子と、バッテリ１１のマイナス端子とが接続される。
【００３０】
運転室１０４に乗り込んだオペレータによってキースイッチ１３がオンされると、機器Ａのキー信号端子２１および機器Ｂのキー信号端子３１がバッテリ１１のプラス端子と接続される。すなわち、キースイッチ１３がオンされると、機器Ａのキー信号端子２１および機器Ｂのキー信号端子３１への入力信号のレベルがハイレベルとなる。これにより、機器Ａおよび機器Ｂでは、制御対象機器の制御処理がそれぞれ不図示のＣＰＵで実行される。すなわち、機器Ａおよび機器Ｂが作動状態となる（図３参照）。
【００３１】
また、キースイッチ１３がオンされて機器Ａのキー信号端子２１への入力信号のレベルがハイレベルとなると、機器Ａは、電源遮断可能信号端子２４から電源遮断不可信号を出力する。電源遮断不可信号はハイレベルの出力信号であり、電源遮断可能信号端子２４に接続されている遮断可能信号出力器４０のソレノイド４１を励磁する。すなわち、ソレノイド４１に通電される（図３参照）。電源遮断不可信号によってソレノイド４１が励磁されると、遮断可能信号出力器４０の接点４２と接点４３との間が開路する。これにより、遮断可能表示器６１へのバッテリ１１からの給電が遮断されるので、遮断可能表示器６１が消灯する（図３参照）。
【００３２】
同様に、キースイッチ１３がオンされて機器Ｂのキー信号端子３１への入力信号のレベルがハイレベルとなると、機器Ｂは、電源遮断可能信号端子３４から電源遮断不可信号を出力する。電源遮断不可信号はハイレベルの出力信号であり、電源遮断可能信号端子３４に接続されている遮断可能信号出力器５０のソレノイド５１を励磁する。すなわち、ソレノイド５１に通電される（図３参照）。電源遮断不可信号によってソレノイド５１が励磁されると、遮断可能信号出力器５０の接点５２と接点５３との間が開路する。これにより、遮断可能表示器６１へのバッテリ１１からの給電が遮断されるので、遮断可能表示器６１が消灯する（図３参照）。
【００３３】
油圧ショベル１００での作業を終了する際（エンジン１を停止させる際）、オペレータがキースイッチ１３をオフにすると、機器Ａのキー信号端子２１および機器Ｂのキー信号端子３１とバッテリ１１のプラス端子との接続が絶たれる。すなわち、キースイッチ１３がオフされると、機器Ａのキー信号端子２１および機器Ｂのキー信号端子３１への入力信号のレベルがローレベルとなる。これにより、機器Ａおよび機器Ｂでは、停止処理がそれぞれ不図示のＣＰＵで実行される。
【００３４】
以下の説明では、機器Ａにおける停止処理が機器Ｂにおける停止処理よりも図３に示すT delayに相当する時間だけ早く終了することを前提とする。機器Ａにおける停止処理が終了すると、機器Ａは非作動状態となる。また、停止処理が終了すると、機器Ａは、電源遮断可能信号端子２４から電源遮断可能信号を出力する。電源遮断可能信号はローレベルの出力信号であり、電源遮断可能信号端子２４に接続されている遮断可能信号出力器４０のソレノイド４１を消磁する。すなわち、ソレノイド４１への通電が遮断される（図３参照）。
【００３５】
電源遮断可能信号によってソレノイド４１が消磁されると、遮断可能信号出力器４０の接点４２と接点４３との間が閉路する。しかし、後述するように機器Ｂにおける停止処理が終了するまでは、遮断可能信号出力器５０の接点５２と接点５３との間が開路している。遮断可能信号出力器４０の接点４２，４３と遮断可能信号出力器５０の接点５２，５３とが直列に接続されているため、遮断可能表示器６１へのバッテリ１１からの給電が接点５２と接点５３との間で遮断されたままとなり、遮断可能表示器６１は消灯したままである（図３参照）。
【００３６】
機器Ａに次いで機器Ｂにおける停止処理が終了すると、機器Ｂは非作動状態となる。また、停止処理が終了すると、機器Ｂは、電源遮断可能信号端子３４から電源遮断可能信号を出力する。電源遮断可能信号はローレベルの出力信号であり、電源遮断可能信号端子３４に接続されている遮断可能信号出力器５０のソレノイド５１を消磁する。すなわち、ソレノイド５１への通電が遮断される（図３参照）。
【００３７】
電源遮断可能信号によってソレノイド５１が消磁されると、遮断可能信号出力器５０の接点５２と接点５３との間が閉路する。上述したように機器Ａにおける停止処理がすでに終了しており、遮断可能信号出力器４０の接点４２と接点４３との間が閉路している。叙述したように、遮断可能信号出力器４０の接点４２，４３と遮断可能信号出力器５０の接点５２，５３とが直列に接続されているため、遮断可能表示器６１へバッテリ１１から給電され、遮断可能表示器６１は点灯する（図３参照）。
【００３８】
このように、本実施の形態では、すべての機器Ａ，Ｂで給電を遮断しても差し支えない状態にならないと遮断可能表示器６１は点灯しない。すなわち、遮断可能表示器６１が点灯すれば、すべての機器Ａ，Ｂで給電を遮断しても差し支えない。オペレータは、遮断可能表示器６１が点灯したことを確認した後、遮断スイッチ６２をオフすればよい。
【００３９】
オペレータが遮断スイッチ６２をオフすることで、上述したように、機器Ａの電源ＧＮＤ端子２３および機器Ｂの電源ＧＮＤ端子３３とバッテリ１１のマイナス端子との接続が解除されて、機器Ａおよび機器Ｂへのバッテリ１１からの給電が遮断される。また、オペレータが遮断スイッチ６２をオフすることで、遮断スイッチ６２を介してバッテリ１１のマイナス端子に接続されている遮断可能表示器６１が消灯する。
【００４０】
なお、上述した実施の形態では、上述したバッテリ遮断許可表示機能（報知機能）を利用しない場合でも、すべての機器Ａ，Ｂで給電を遮断しても差し支えない状態になると遮断可能表示器６１が点灯することとなる。そこで、図４に示すように、たとえばバッテリ１１のプラス端子と遮断可能信号出力器４０の接点４２との間に、遮断可能表示器６１の点灯を許可／禁止する遮断可能信号出力許可スイッチ６３を設けてもよい。遮断スイッチ６２による機器Ａおよび機器Ｂへのバッテリ１１からの給電の遮断を行わない場合には、遮断許可信号出力許可スイッチ６３をオフ（開路）すればよい。
【００４１】
すなわち、遮断許可信号出力許可スイッチ６３をオンにすることで、遮断可能表示器６１の点灯が許可されて、上述したバッテリ遮断許可表示機能（報知機能）が有効とされる。遮断許可信号出力許可スイッチ６３をオフにすることで、遮断可能表示器６１の点灯が禁止されて、上述したバッテリ遮断許可表示機能（報知機能）が無効とされる。
【００４２】
本実施の形態では、次の作用効果を奏する。
（１）  たとえば本実施の形態とは異なり、遮断可能表示器６１の消灯によってバッテリ１１から機器Ａ，Ｂへの給電を遮断してもよい旨を報知するように構成した場合には、次のような不具合が生じるおそれがある。すなわち、遮断可能表示器６１への給電ライン上での断線や、遮断可能表示器６１におけるＬＥＤや電球等の発光装置の故障などによる遮断可能表示器６１の不点灯と、給電の遮断を許可する旨の報知（すなわち消灯）との区別が付けられないため、停止処理の終了前に、バッテリ１１から機器Ａ，Ｂへの給電が誤って遮断されてしまうおそれがある。
【００４３】
これに対して、本実施の形態では、機器Ａ，Ｂから出力される電源遮断可能信号を受信することで、遮断可能表示器６１を点灯させて、バッテリ１１から機器Ａ，Ｂへの給電を遮断してもよい旨を報知するように構成した。上述したように、遮断可能表示器６１への給電ライン上での断線や、遮断可能表示器６１におけるＬＥＤや電球等の発光装置の故障などが生じた場合には、遮断可能表示器６１が不点灯となる。そのため、停止処理の終了前に、バッテリ１１から機器Ａ，Ｂへの給電が誤って遮断されてしまうおそれがない。したがって、機器Ａ，Ｂを保護できる。また、次回の給電時に読み出されるデータの信頼性が低下するおそれがなくなり、油圧ショベル１００の安定的な稼働に寄与する。
【００４４】
なお、遮断可能表示器６１への給電ライン上での断線や、遮断可能表示器６１におけるＬＥＤや電球等の発光装置の故障などが生じた場合には、遮断可能表示器６１が不点灯となったままとなるため、オペレータが、遮断可能表示器６１の不点灯に係る不具合に気付き易い。したがって、遮断可能表示器６１の不点灯に係る不具合を早期に発見でき、保全上の利便性が向上する。
【００４５】
（２）  電源遮断可能信号および電源遮断不可信号によって駆動される常閉スイッチである遮断可能信号出力器４０および遮断可能信号出力器５０を直列に接続し、接点４２と接点４３との間および接点５２と接点５３との間がともに閉路したときに遮断可能表示器６１が点灯するように構成した。これにより、すべての機器Ａ，Ｂにおいて停止処理が完了しないと遮断可能表示器６１が点灯しないため、停止処理の終了前に、バッテリ１１から機器Ａ，Ｂへの給電が誤って遮断されてしまうおそれがない。したがって、機器Ａ，Ｂを保護できる。また、次回の給電時に読み出されるデータの信頼性が低下するおそれがなくなり、油圧ショベル１００の安定的な稼働に寄与する。
【００４６】
（３）  遮断スイッチ６２がオフされると、遮断スイッチ６２を介してバッテリ１１のマイナス端子に接続されている遮断可能表示器６１が消灯するように構成した。これにより、遮断スイッチ６２がオフされた後には遮断可能表示器６１でバッテリ１１の電力が消費されないので、意図しないバッテリ上がりを防止できる。
【００４７】
−−−変形例−−−
（１）  上述の説明では、コントローラとして２台の機器Ａ，Ｂが設けられている場合について説明したが、本発明はこれに限定されない。たとえば、コントローラとしての機器が１台であってもよく、３台以上であってもよい。たとえば、コントローラとしての機器が１台の場合、機器から出力される電源遮断可能信号および電源遮断不可信号によって駆動される常閉スイッチをバッテリ１１のプラス端子と遮断可能表示器６１との間に接続すればよい。
【００４８】
また、たとえば、コントローラとしての機器が３台以上の場合、各機器から出力される電源遮断可能信号および電源遮断不可信号によって駆動される複数個の各常閉スイッチをバッテリ１１のプラス端子と遮断可能表示器６１との間に、それぞれ直列に接続すればよい。
【００４９】
（２）  上述の説明では、遮断可能表示器６１を点灯させることで、バッテリ１１から機器Ａ，Ｂへの給電を遮断してもよい旨を報知するように構成したが、本発明はこれに限定されない。たとえば、遮断可能表示器６１を点灯させることに代えて点滅させることによって、バッテリ１１から機器Ａ，Ｂへの給電を遮断してもよい旨を報知するように構成してもよい。また、遮断可能表示器６１を点灯させることまたは点滅させることではなく、不図示のバッテリボックス内に文字の表示装置を設け、文字によってバッテリ１１から機器Ａ，Ｂへの給電を遮断してもよい旨を報知するように構成してもよい。
【００５０】
また、遮断可能表示器６１を点灯させることまたは点滅させることに加えて、たとえば不図示のバッテリボックス内にスピーカを設け、音声によってバッテリ１１から機器Ａ，Ｂへの給電を遮断してもよい旨を報知するように構成してもよい。なお、音声によってバッテリ１１から機器Ａ，Ｂへの給電を遮断してもよい旨を報知する場合には、遮断可能表示器６１を点灯させることまたは点滅させることは必須ではない。
【００５１】
（３）  上述の説明では、作業車両の一例としての油圧ショベルを挙げて説明したが、本発明はこれに限定されない。キースイッチをオフした後、さらに停止処理が終了した後に給電を遮断することが望ましいコントローラ等を搭載した作業車両であれば、たとえば、移動式クレーンやホイールローダなどに本発明を適用してもよい。
（４）  上述した実施の形態および変形例は、それぞれ組み合わせてもよい。
【００５２】
なお、本発明は、上述した実施の形態のものに何ら限定されず、キースイッチと、キースイッチがオフ位置に切り替えられたときに停止処理を行い、停止処理が完了すると完了信号を出力するコントローラと、コントローラへの給電を遮断する遮断スイッチと、遮断スイッチによるコントローラへの給電の遮断操作が可能であることを点灯表示する表示器と、コントローラから完了信号が出力されると表示器を点灯駆動する表示器点灯駆動装置とを備えることを特徴とする各種構造の作業車両を含むものである。
【符号の説明】
【００５３】
１１  バッテリ、１３  キースイッチ、２１，３１  キー信号端子、２２，３２  電源＋端子、２３，３３  電源ＧＮＤ端子、２４，３４  電源遮断可能信号端子、４０，５０  遮断可能信号出力器、４１，５１  励磁コイル（ソレノイド）、４２，４３，５２，５３  接点、６１  表示器（遮断可能表示器）、６２  ディスコネクトスイッチ（遮断スイッチ）、６３  遮断許可信号出力許可スイッチ、１００  油圧ショベル、Ａ，Ｂ  機器
【図１】
2014141223.tif 000003
【図２】
2014141223.tif 000004
【図３】
2014141223.tif 000005
【図４】
2014141223.tif 000006